(57)【要約】【課題】  用紙を確実に積載し、且つ良好な用紙整列性を実現可能な排紙装置を提供する。【解決手段】  用紙進行方向に沿って配される昇降可能な用紙積載テーブル６と、この用紙積載テーブル６が上昇した位置に配され且つ上記用紙進行方向と直交方向に沿って配された用紙整列部材７と、前記用紙積載テーブル６が上昇した位置に配され且つ上記用紙進行方向に平行に対を成して配された用紙整列部材７と、印刷済用紙１の用紙走行位置を検出する用紙エッヂ検出装置２１とを備えた。【選択図】図１
2005059993.tif 000002
【特許請求の範囲】
【請求項１】
画像形成装置の後段に接続され、該画像形成装置から送り出されてくる印刷済用紙の用紙進行方向と直行する用紙走行位置を検出するＣＣＤセンサとＬＥＤからなる用紙エッヂ検出装置と、印刷済用紙のオペレータ側、又は反オペレータ側へ選択的に搬送積載するための搬送方向可変に構成された用紙搬送ローラ対と、前記印刷済用紙を積み重ねて収容する為の用紙積載テーブルと、該用紙積載テーブルを昇降させる為のテーブル駆動機構と、該テーブル駆動機構を制御する制御装置と用紙の最上面位置を検知する上面検出手段と、用紙進行方向下流側に配された前記用紙積載テーブル上に排出された印刷済用紙の用紙進行方向に往復摺動する用紙整列部材と、用紙進行方向上流側に配された用紙整列部材と、オペレータと反オペレータ側にそれぞれ配された用紙進行方向に直交方向に往復摺動する一対の用紙整列部材と、前記各用紙整列部材の位置検出手段と、前記各用紙用紙整列部材の駆動機構とを有する画像形成装置の排紙装置において、前記用紙進行方向に往復摺動する用紙整列部材と、用紙進行方向に直交方向に往復摺動する一対の用紙整列部材と、前記両用紙整列部材の駆動機構が、前記上面検出手段により昇降する用紙積載テーブル上方に配され、前記用紙搬送ローラ対の上流側に用紙進行方向と直行する用紙走行位置を検出する前記用紙エッヂ検出装置が少なくとも一個以上配されることを特徴とする画像形成装置の排紙装置。
【請求項２】
画像形成装置に接続される前記排紙装置は複数であり、前記用紙エッヂ検出装置が少なくとも１個以上配したことを特徴とする画像形成装置の排紙装置。
【発明の詳細な説明】
【技術分野】
【０００１】
本発明は、複写機、レーザビームプリンタ等の画像形成装置の後段に接続される排紙装置に関するものである。
【背景技術】
【０００２】
画像形成装置の排紙装置においては、印刷済用紙を排出し、更に製本等の後処理を考慮し印刷済用紙を用紙進行方向及び用紙進行方向の直交方向（用紙幅方向）に不揃いなく整列させる用紙進行方向に対して直行方向に往復摺動する用紙整列部材を用いた種々の提案がなされている。
【発明の開示】
【発明が解決しようとする課題】
【０００３】
しかしながら、従来技術では排紙装置に送り込まれる用紙走行位置が、画像形成装置内の用紙走行のバラツキと、画像形成装置と排紙装置の相対位置のバラツキや排紙装置を２機・３機連結した場合の排紙装置間の相対位置のバラツキにより用紙走行位置が変動し、
用紙走行方向と平行に設けられた用紙整列部材と用紙走行位置の相対位置に誤差が生じ、用紙がジョガーに衝突したり用紙がジョガーの下側に入り込む等の問題が発生し、印刷済用紙の整列性を確保することが困難である。
【０００４】
本発明の目的は、上記の問題を解決し、排紙装置内に排出される印刷済用紙の良好な用紙整列性を実現する排紙装置を提供することにある。
【課題を解決するための手段】
【０００５】
上記目的は、用紙進行方向に沿って配される昇降可能な用紙積載テーブルと、この用紙積載テーブルが上昇した位置に配され且つ上記用紙進行方向と直交方向に沿って配された用紙整列部材と、上記用紙積載テーブルが上昇した位置に配され且つ上記用紙進行方向に平行に配置され対を成して配された用紙整列部材を備えることによって達成される。
【発明の効果】
【０００６】
本発明によれば、用紙を確実に積載し、且つ良好な用紙整列性を実現可能な排紙装置を提供することが出来る。
【発明を実施するための最良の形態】
【０００７】
以下図面に沿って、本発明の一実施例を説明する。
【実施例】
【０００８】
図１、図２、図３、図４に示すように、排紙装置２は、複写機及びレーザプリンタなどの画像形成装置３の後方に配置・接続されており、該画像形成装置３から送り込まれてくる印刷済用紙１の用紙進行方向の直行方向位置を検出するＣＣＤセンサ１９とＬＥＤ２０からなる用紙エッヂ検出装置２１と、印刷済用紙１を次段にオペレータ側又は、反オペレータ側に振り分け送り出す用紙搬送ローラ対４と、昇降移動可能に支持され用紙搬送ローラ対４から送り出されてくる印刷済用紙１を積み重ね収容する用紙積載テーブル６と、スタック部用紙進行方向に平行に配置され印刷済用紙１の進行方向に平行な両端エッジ部を繰り返し押し付けることにより印刷済用紙１を用紙進行方向と直交方向に整列させる摺動可能な用紙整列部材７（以下、ジョガーという。）と、スタック部用紙進行方向と直交方向に配置され、印刷済用紙１の先端部を繰り返し押し付けることにより、印刷済用紙１を用紙進行方向に整列させる摺動可能な用紙整列部材８（以下、先端ストッパという。）と、ジョガー７の位置検出手段１７と、先端ストッパ８の位置検出手段１８と、用紙積載テーブル６上の印刷済用紙１の後端部を直交方向に押し付ける回転部材９と、回転部材９近傍の一定位置に立設固定された櫛歯状の用紙後端ストッパ１５と、用紙積載テーブル６上に排出された印刷済用紙１の上面を押える為に複数個配列された用紙上面押えローラ５と、用紙積載面上面を検知する積載用紙上面検出手段１０とから構成される。ジョガー７ａ、７ｂ及びストッパ８は用紙積載テーブル６上部に設けられ、ジョガー７及び先端ストッパ８は、モータ１２からの動力を、動力伝達ベルト１３、駆動シャフト１４を介してスタックされる印刷済用紙１のサイズにあわせて摺動される。
【０００９】
ここで、画像形成装置３にて印刷が開始されると反オペレータ側ジョガー７ａ（以下、リアジョガーという）、オペレータ側ジョガー７ｂ（以下、フロントジョガーという）及び先端ストッパ８は、それぞれの位置検出手段にてホームポジション位置を検出後、画像形成装置又は、前段に設けられた排紙装置から送り込まれた用紙の走行位置をＣＣＤセンサ１９とＬＥＤ２０からなる用紙エッヂ検出装置２１に検出された検出位置とホームポジションから規定されたジョガー７ａ、７ｂの相対誤差を算出してジョガー７ａ、７ｂは誤差を補正された位置に、ストッパ８は印刷される用紙サイズに併せて規定の位置に移動する。
【００１０】
その際に用紙積載テーブル６上での印刷済用紙１の積載位置は図示しない用紙搬送ローラ対４の搬送積載機構により、オペレータ側もしくは反オペレータ側のいずれかに振り分け搬送される。例えばオペレータ側に印刷済用紙１が搬送された場合にリアジョガー７ａは印刷済用紙１の進行方向に平行な反オペレータ側の補正された用紙位置に接する位置近傍まで移動し停止する。
【００１１】
一方フロントジョガー７ｂは印刷済用紙１の進行方向に平行なオペレータ側の補正された用紙位置より更にオペレータ側へ規定量離れた位置に待機する。反対に反オペレータ側に印刷済用紙１が搬送された場合フロントジョガー７ｂは印刷済用紙１の進行方向に平行なオペレータ側の補正された用紙位置に接する位置近傍まで移動停止し、リアジョガー７ａは印刷済用紙１の進行方向に平行な反オペレータ側の補正された用紙位置より更に反オペレータ側へ規定量離れた位置に待機する。
【００１２】
先端ストッパ８は印刷済用紙１が搬送積載される方向に関係なく、印刷済用紙１の進行方向先端部エッジに接する位置近傍まで移動し待機する。その後印刷済用紙１が用紙搬送ローラ対４から排出され、用紙積載テーブル６上にスタックされた直後に反オペレータ側への搬送積載の際は、リアジョガー７ａと先端ストッパ８が、オペレータ側への搬送積載の際はフロントジョガー７ｂと先端ストッパ８がそれぞれ相対する各用紙エッジ部方向に用紙を押込み、ジョガー７の場合は停止側のジョガー７がストッパとなり、又先端ストッパ８の場合は用紙後端ストッパ１５がストッパとなり印刷済用紙１を整列させる。
【００１３】
動作側のジョガー７及び先端ストッパ８が相対する用紙エッジ部を各ストッパ迄押込み待機位置に戻る往復動作を排紙装置に搬送されてくる印刷済用紙１枚毎に繰り返すことにより、様々なサイズの印刷用紙をすべて不揃いなく整列させる事が可能となる。
【００１４】
リアジョガー７ａ、フロントジョガー７ｂ、先端ストッパ８、モータ１２、ジョガー７及び先端ストッパ８の位置検出手段１７、１８を用紙積載テーブル６の上昇した位置の上方に配したことにより、画像形成装置３の印刷途中に印刷済用紙１の仕分けの為に搬送積載方向が幾度となくオペレータ側、反オペレータ側に変わる場合には、用紙積載テーブル６を一旦ジョガー７が指定された用紙幅方向に移動する際に、既に積載された印刷済用紙１に干渉しない位置まで下降させた後、ジョガー７を指定の搬送積載方向へ移動し、用紙積載テーブル６を積載用紙上面検出手段１０で検知する位置まで上昇させ再び印刷済用紙１を用紙積載テーブル６上に積載することにより、大量の印刷済用紙１が用紙積載テーブル６上に積載されていた場合でも既に積載済みの印刷済用紙１に負荷や振動を与えない為、用紙整列性を失う事なく整列が可能となる。
【００１５】
さらに、リアジョガー７ａ及びフロントジョガー７ｂの往復動作側待機位置の規定量を印刷済用紙１の進行方向に平行なエッジ部から９〜１０ｍｍにし、その位置から相対する用紙エッジ部に接する位置まで往復動作させることにより、印刷済用紙１を用紙幅以上に押込むことなく、その結果印刷済用紙１に振動を与える事が無くなり、用紙整列性を向上させる事が出来る。
【図面の簡単な説明】
【００１６】
【図１】本発明の実施例に係る排紙装置の用紙積載部を示す正面構成図である。
【図２】本発明の実施例に係る排紙装置の用紙積載部を示す側面構成図である。
【図３】本発明の実施例における用紙エッヂ検出装置の側面構成図である。
【図４】本発明に係る排紙装置が３機連結した構成図である。
【符号の説明】
【００１７】
１は印刷済用紙、２は排紙装置、３は画像形成装置、４は用紙搬送ローラ対、５は用紙上面押えローラ、６は用紙積載テーブル、７はジョガー、７ａはリアジョガー、７ｂはフロントジョガー、８は先端ストッパ、９は回転部材、１０は積載用紙上面検出手段、１１はテーブルアーム、１２はモータ、１３は動力伝達ベルト、１４は駆動シャフト、１５は
用紙後端ストッパ、１６は用紙後端突起部、１７は、ジョガー位置検出手段、１８は先端ストッパ検出手段、１９はＣＣＤセンサ、２０はＬＥＤ、２１は用紙エッヂ検出装置である。
【図１】
2005059993.tif 000003
【図２】
2005059993.tif 000004
【図３】
2005059993.tif 000005
【図４】
2005059993.tif 000006